(57)【特許請求の範囲】
【請求項１】
被写体を撮像する撮像部を備える撮像装置であって、
前記撮像装置の第１面に配置され、ユーザが予め割り当てた第１機能を実行するためにユーザにより操作される第１操作部と、
前記撮像装置の前記第１面とは異なる前記撮像装置の第２面に配置され、前記第１操作部に割り当てられている前記第１機能を報知するための第１画面を表示する表示部と、
前記第１操作部がユーザにより操作されたことに応じて、前記第１画面を前記表示部に表示することなく前記第１機能を実行する制御部とを備えること
を特徴とする撮像装置。
【請求項２】
請求項１に記載の撮像装置において、
前記撮像装置の前記第２面に配置され、ユーザが予め割り当てた第２機能を実行するためにユーザにより操作される第２操作部を更に備えること
を特徴とする撮像装置。
【請求項３】
請求項２に記載の撮像装置において、
前記表示部は、前記第２操作部に割り当てられている前記第２機能を前記第１機能とともに報知するための前記第１画面を表示すること
を特徴とする撮像装置。
【請求項４】
請求項１から請求項３のいずれか一項に記載の撮像装置において、
前記撮像装置の前記第１面は、前記撮像装置の前面であること
を特徴とする撮像装置。
【請求項５】
請求項１から請求項４のいずれか一項に記載の撮像装置において、
前記表示部は、前記撮像装置に設定されている撮影条件を前記第１機能とともに報知するための前記第１画面を表示すること
を特徴とする撮像装置。
【請求項６】
請求項１から請求項５のいずれか一項に記載の撮像装置において、
前記表示部は、前記撮像装置に配置された操作部に割り当てられていない機能であって前記撮像装置に設定されている機能を前記第１機能とともに報知するための前記第１画面を表示すること
を特徴とする撮像装置。
【発明の詳細な説明】
【技術分野】
【０００１】
本発明は、撮像装置に関する。
【背景技術】
【０００２】
複数のレリーズボタンを備え、各レリーズボタンに割り当てられた機能内容を表示するカメラが従来技術として知られている（たとえば、特許文献１参照）。
【特許文献１】特開２００４−５３７２２号公報
【発明の開示】
【発明が解決しようとする課題】
【０００３】
特許文献１に記載のカメラでは、ボタンに割り当てられた機能を表示する液晶表示部をそのボタンの近くに設けている。このため、ボタンに近接して表示器設置スペースを設けることができない場合、ユーザはボタンに割り当てられている機能を把握しづらかった。
【課題を解決するための手段】
【０００４】
請求項１に記載の撮像装置は、被写体を撮像する撮像部を備える撮像装置であって、前記撮像装置の第１面に配置され、ユーザが予め割り当てた第１機能を実行するためにユーザにより操作される第１操作部と、前記撮像装置の前記第１面とは異なる前記撮像装置の第２面に配置され、前記第１操作部に割り当てられている前記第１機能を報知するための第１画面を表示する表示部と、前記第１操作部がユーザにより操作されたことに応じて、前記第１画面を前記表示部に表示することなく前記第１機能を実行する制御部とを備えることを特徴とする。
【発明の効果】
【０００５】
本発明によれば、ユーザは操作部に割り当てられている機能を把握しやすくなる。
【発明を実施するための最良の形態】
【０００６】
以下、図面を参照して本発明の実施形態について説明する。図１（ａ）は、本発明の一実施の形態による電子カメラ１を背面から見たときの外観図であり、図１（ｂ）は、下方から見たときの電子カメラ１の外観図である。電子カメラ１の正面には撮影レンズ１１１Ａとファンクション１（Ｆｎ１）ボタン１０３Ａと、ファンクション２（Ｆｎ２）ボタン１０３Ｂとが設けられている。撮像装置１の背面には、液晶モニタ１０４と、ファンクション３（Ｆｎ３）ボタン１０３Ｃと、Ｉｎｆｏボタン１０３Ｄと、メニューボタン１０３Ｅと、マルチセレクタスイッチ１０３Ｆと、決定ボタン１０３Ｇが設けられている。
【０００７】
電子カメラ１に設けられた操作部材について説明する。Ｆｎ１ボタン１０３Ａ、Ｆｎ２ボタン１０３ＢおよびＦｎ３ボタン１０３Ｃは、ユーザが予め割り当てた機能を実行するためのボタンである。Ｆｎ１ボタン１０３Ａ、Ｆｎ２ボタン１０３Ｂ、あるいはＦｎ３ボタン１０３Ｃを押圧すると、それぞれのボタン１０３Ａ〜１０３Ｃに割り当てられた機能に関する動作が実行される。Ｉｎｆｏボタン１０３Ｄは、Ｆｎ１ボタン１０３Ａ、Ｆｎ２ボタン１０３ＢおよびＦｎ３ボタン１０３Ｃに割り当てられた機能の情報を液晶モニタ１０４に表示するためのボタンである。
【０００８】
メニューボタン１０３Ｅは、電子カメラ１について各種設定を行うための設定メニュー画面を液晶モニタ１０４に表示させるためのボタンである。マルチセレクタスイッチ１０３Ｆは、液晶モニタ１０４に表示されたメニューの中から所望の項目を選択するためのボタンである。マルチセレクタスイッチ１０３Ｆが押圧されると、押圧された位置に応じてメニューの中の選択位置が移動する。決定ボタン１０３Ｇが押圧されると、マルチセレクタスイッチ１０３Ｆの操作によって選択された項目について、選択の決定が行われる。
【０００９】
図２は、電子カメラ１の構成を説明するブロック図である。図２において電子カメラ１は、制御回路１０１と、メモリ１０２と、操作部材１０３と、液晶モニタ１０４と、外部インターフェイス（Ｉ／Ｆ）回路１０５と、メモリカードインターフェイス（Ｉ／Ｆ）１０６とを備え、メモリカードインターフェイス１０６にはメモリカード１５０が接続される。
【００１０】
制御回路１０１は、撮像装置内各部から入力される信号に基づいて、制御プログラムによる所定の演算を行う。そして、制御回路１０１は、電子カメラ内各部に対してその演算結果に基づく制御信号を送出し、電子カメラ１の撮影動作を制御する。なお、制御プログラムは制御回路１０１内の不図示のＲＯＭに格納される。
【００１１】
メモリ１０２は、制御回路１０１の作業用メモリとして使用される。また、ファンクションボタンに割り当てられた機能に関する情報を記憶する。操作部１０３はＦｎ１ボタン１０３Ａなどを含み、操作されたボタンに対応する操作信号を制御回路１０１へ送出する。メモリカード１５０は、制御回路１０１の指示によるデータの書き込み、保存および読み出しが可能な記録媒体である。                                                
【００１２】
液晶モニタ１０４は、制御回路１０１からの指示により画像やテキストなどの情報を表示する。外部インターフェイス回路１０５は、制御回路１０１からの指示により不図示のケーブルを介して外部機器（パーソナルコンピュータ、プリンタなど）との間でコマンドおよびデータを送受信する。
【００１３】
撮像部１１０は、撮像光学系１１１、撮像素子１１２および撮像制御回路１１３を有し、制御回路１０１からの指示に応じて被写体の撮像を行う。撮像光学系１１１は焦点調節光学系などを含む複数の撮像レンズを有し、撮像素子１１２の撮像面上に被写体像を結像する。撮像素子１１２には、ＣＣＤやＣＭＯＳ撮像素子などが用いられる。撮像制御回路１１３は、制御回路１０１の指示により撮像素子１１２を駆動制御する。また、撮像制御回路１１３は、制御回路１０１の指示により撮像素子１１２から出力される画像信号に対して所定の信号処理を行う。信号処理後の画像信号は、画像データとして所定形式の画像ファイルでメモリカード１５０に記録される。
【００１４】
次に、図３を参照して、情報画面３０について説明する。情報画面３０は、Ｆｎ１ボタン１０３Ａ、Ｆｎ２ボタン１０３ＢおよびＦｎ３ボタン１０３Ｃに割り当てられた機能に関する情報を表示する。Ｉｎｆｏボタン１０３Ｄが押圧されると、情報画面３０は液晶モニタ１０４に表示される。情報画面３０は、撮影条件表示領域３１、ファンクションボタン機能表示領域３２およびお好み表示領域３３に分けることができる。撮影条件表示領域３１は、シャッタスピードおよび絞り値などの電子カメラ１に設定された撮影条件に関する情報を表示する。
【００１５】
ファンクションボタン機能表示領域３２は、Ｆｎ１ボタン１０３Ａ、Ｆｎ２ボタン１０３ＢおよびＦｎ３ボタン１０３Ｃに割り当てられた機能に関する情報を表示する。図３に示すように、Ｆｎ１ボタン１０３ＡにはＡＥロックの機能が割り当てられ、Ｆｎ２ボタン１０３ＢにはＡＦロックの機能が割り当てられ、Ｆｎ３ボタン１０３ＣにはＦＶロックの機能が割り当てられている。
【００１６】
ＡＥロックは、撮影画面内の露出を合わせたい部分を測光し、その露出値を記憶し、記憶した露出値で撮影を行う機能である。ユーザがＦｎ１ボタン１０３Ａを押圧すると、電子カメラ１は、撮影画面内の露出を合わせたい部分を測光し、露出値を記憶する。ユーザは、Ｆｎ１ボタン１０３Ａが押圧されている間、電子カメラ１に記憶されている露出値で撮影を行うことができる。この機能は、被写体と被写体の背景との明るさが著しく異なるとき、便利である。
【００１７】
ＡＦロックは、撮影画面内の焦点を合わせたい部分に焦点を合わせた後、焦点を固定し、固定した焦点で撮影を行う機能である。ユーザが不図示のレリーズボタンを半押しした状態で被写体に焦点を合わせ、Ｆｎ２ボタン１０３Ｂを押圧すると、電子カメラ１の焦点が固定される。ここで半押しとは、ユーザがレリーズボタンを軽く抵抗を感じるところまで押して、そのまま指を止めるレリーズボタンの押圧状態をいう。さらに、ユーザがレリーズボタンを半押しの状態から深く押し込むことを全押しという。ユーザは、Ｆｎ２ボタン１０３Ｂが押圧されている間、電子カメラ１に固定されている焦点で撮影を行うことができる。この機能は、背景との間の明暗差がはっきりしない被写体など、自動焦点調節が難しいと被写体の撮影に対して有効である。
【００１８】
ＦＶロックは、不図示の照明装置による調光量を記憶し、記憶した調光量に合わせた状態で撮影を行う機能である。ユーザが、不図示のレリーズボタンを半押しした状態でＦｎ３ボタン１０３Ｃを押圧すると、電子カメラ１は、不図示の照明装置が閃光発光を行い、調光量を算出する。ユーザは、Ｆｎ３ボタン１０３Ｃが押圧されている間、電子カメラ１に記憶されている調光量に合わせて撮影を行うことができる。この機能により、被写体が撮影画面の中央にない場合でも適切な調光量で照明装置を使用した撮影を行うことができる。
【００１９】
電子カメラ１は、図３の情報画面３０におけるお好み表示領域３３に、電子カメラ１に設定されている設定状態を適宜表示することができる。とくに、液晶モニタ１０４に表示されたメニュー画面のみで設定可能で、ボタン操作で直接設定できない設定条件を表示する。
【００２０】
図３に示した状態では、コンティニュアスオートフォーカス（ＡＦ−Ｃ）設定時のレリーズ優先設定が領域３３ａに、シングルオートフォーカス（ＡＦ−Ｓ）設定時のレリーズ優先設定が領域３３ｂに、画質調整設定が領域３３ｃに表示されるように電子カメラ１は設定されている。
【００２１】
ユーザは、ＡＦ−Ｃ設定時におけるレリーズ優先設定で、フォーカス優先モード（ＡＦ−Ｃ  Ｆｏｃｕｓ）と、レリーズ優先モード（ＡＦ−Ｃ  Ｒｅｌｅａｓｅ）とのいずれかを選択して設定できる。ＡＦ−Ｃ設定は、レリーズボタンが半押しされている間は継続して被写体に焦点を調整し続ける設定である。フォーカス優先モード（ＡＦ−Ｃ  Ｆｏｃｕｓ）は、ＡＦ−Ｃ設定時に、撮像光学系１１１の焦点調節光学系が合焦状態であるときのみ、レリーズボタンの全押しによる撮影を行うモードである。レリーズ優先モード（ＡＦ−Ｃ  Ｒｅｌｅａｓｅ）は、ＡＦ−Ｃ設定時に、撮像光学系１１１の焦点調節光学系が合焦状態であるか否かにかかわらず、レリーズボタンの全押しによる撮影を行うモードである。図３は、ＡＦ−Ｃ設定時におけるレリーズ優先設定として、フォーカス優先モード（ＡＦ−Ｃ  Ｆｏｃｕｓ）が選択されていることを示している。
【００２２】
ユーザは、ＡＦ−Ｓ設定時におけるレリーズ優先設定で、フォーカス優先モード（ＡＦ−Ｓ  Ｆｏｃｕｓ）と、レリーズ優先モード（ＡＦ−Ｓ  Ｒｅｌｅａｓｅ）とのいずれかを選択して設定できる。ＡＦ−Ｓ設定は、レリーズボタンの半押しに応じて被写体に焦点を調整し、合焦後に焦点状態を固定する設定である。フォーカス優先モード（ＡＦ−Ｓ  Ｆｏｃｕｓ）は、ＡＦ−Ｓ設定時に、撮像光学系１１１の焦点調節光学系が合焦状態であるときのみ、レリーズボタンの全押しによる撮影を行うモードである。レリーズ優先モード（ＡＦ−Ｓ  Ｒｅｌｅａｓｅ）は、ＡＦ−Ｓ設定時に、撮像光学系１１１の焦点調節光学系が合焦状態であるか否かにかかわらず、レリーズボタンの全押しによる撮影を行うモードである。図３は、ＡＦ−Ｓ設定時におけるレリーズ優先設定として、レリーズ優先モード（ＡＦ−Ｓ  Ｒｅｌｅａｓｅ）が選択されていることを示している。
【００２３】
ユーザは、画質調整設定で、Ｖｉｖｉｄモード、Ｎａｔｕｒａｌモードなどの画質調整モードを選択して設定できる。Ｖｉｖｉｄモードは、撮影画像の撮像制御回路１１３における画像の画質調整処理について、鮮やかな画像を得るためにコントラストや彩度などを高めに調整するモードである。Ｎａｔｕｒａｌモードは、色調など忠実に再現できるようコントラストや彩度などを低めに調整するモードである。図３は、画質調整設定として、Ｖｉｖｉｄモードが選択されていることを示している。
【００２４】
なお、上述のＡＦ−ＣおよびＡＦ−Ｓは、択一的に選択される設定である。そのため、電子カメラ１にＡＦ−Ｃが設定されている場合は、ＡＦ−Ｓに関する設定を表示しないようにしてもよい。つまり、電子カメラ１の設定状態に応じて、お好み表示領域３３に表示する項目の表示をＯＮ／ＯＦＦにするようにしてもよい。たとえば、図３に示すように、領域３３ｂにＡＦ−Ｓ設定時のレリーズ優先設定が表示されるよう設定されている場合であっても、電子カメラ１がＡＦ−Ｃ設定になっている場合は、図４に示すように、レリーズ優先設定の表示をＯＦＦにする。
【００２５】
図５を参照して、ファンクションボタン１０３Ａ〜１０３Ｃに割り当てる機能を変更する操作を説明する。図５（ａ）に示すように、液晶モニタ１０４には、再生画像４０が最初に表示されているものとして説明する。なお、再生画像４０ではなく液晶モニタ１０４に、撮像素子１１２により撮影された被写体像が液晶モニタ１０４に逐次表示される動画像が表示されている場合であってもよい。
【００２６】
ユーザが、図５（ａ）に示すように、液晶モニタ１０４に再生画像４０が表示されているとき、または、画面表示がＯＦＦされているときに、Ｉｎｆｏボタン１０３Ｄを押圧すると、図５（ｂ）に示すように、液晶モニタ１０４に、情報画面３０が表示される。さらに、Ｉｎｆｏボタン１０３Ｄを押圧すると、情報画面３０のファンクションボタン機能表示領域３２あるいはお好み表示領域３３にカーソル３４が表示される。ユーザは、マルチセレクタスイッチ１０３Ｆを操作することによって、カーソル３４の位置を移動することができる。カーソル３４が移動すると、その移動した位置に表示されているファンクションボタン１０３Ａ〜１０３Ｂの機能を以下の操作で変更することができる。したがって、ユーザは、マルチセレクタスイッチ１０３Ｆを操作することによって、割り当てる機能を変更するファンクションボタン１０３Ａ〜１０３Ｃを選択することができる。
【００２７】
Ｆｎ３ボタン１０３Ｃに割り当てる機能を変更する操作について説明する。まず、マルチセレクタスイッチ１０３Ｆを操作して、図５（ｃ）に示すように、カーソル３４の位置をＦｎ３ボタン（Ｆｎ３）の位置に移動する。そして、決定ボタン１０３Ｇを押圧して決定の操作を行う。その結果、図５（ｄ）に示すように、Ｆｎ３ボタン１０３Ｃに割り当て可能な機能が表示されたメニュー画面５０が表示される。ユーザは、マルチセレクタスイッチ１０３Ｆを操作してメニュー画面５０からＦｎ３ボタン１０３Ｃに割り当てる機能を選択する。そして、決定ボタン１０３Ｇを押圧すると、選択された機能がＦＮ３ボタン１０３Ｃに割り当てられる。メニュー画面５０の中で、Ｆｎ３ボタン１０３Ｃに割り当てられた機能は、反転表示される。図５（ｄ）では、Ｆｎ３ボタン１０３Ｃには、ＦＶロックの機能が割り当てられているので、「ＦＶロック」の項目５１の表示が反転している。以上の操作により割り当てられたＦＮ３ボタン１０３Ｃの機能は、メモリ１０２に記憶される。
【００２８】
ＦＮ３ボタン１０３Ｃが押圧されると、制御回路１０１は、ＦＮ３ボタン１０３Ｃに割り当たられた機能に関する情報をメモリ１０２から読み出す。そして、電子カメラ１がＦＮ３ボタン１０３Ｃに割り当たられた機能に関する動作を実行するように、制御回路１０１は電子カメラ１を制御する。
【００２９】
Ｉｎｆｏボタン１０３Ｄを押圧することによって、ファンクションボタン１０３Ａ〜１０３Ｃに割り当てられた機能を表示することができた。他の方法として、電子カメラ１の設定を行うためのメニュー画面から、ファンクションボタン１０３Ａ〜１０３Ｃに割り当てられた機能を表示することができる。図６を参照して、電子カメラ１の設定を行うためのメニュー画面から、ファンクションボタン１０３Ａ〜１０３Ｃに割り当てられた機能を表示する操作を説明する。最初に図５（ａ）に示す再生画像４０が液晶モニタ１０４に表示されているものとして説明する。
【００３０】
図５（ａ）に示す再生画像４０が表示されているときにメニューボタン１０３Ｅを押圧する。その結果、図６（ａ）に示すように、設定メニュー画面６０が液晶モニタ１０４に表示される。設定メニュー画面６０は、電子カメラ１の設定を行うためのメニュー画面である。設定メニュー画面６０から、電子カメラ１の詳細設定に関する「カスタムメニュー」を選択し、「カスタムメニュー」の項目の中から電子カメラ１の操作に関する項目である「操作」を選択する。そして、決定ボタン１０３Ｇを押圧すると、図６（ｂ）に示すように、「操作」に関するメニュー画面７０が液晶モニタ１０４に表示される。
【００３１】
図６（ｂ）に示す「操作」に関するメニュー画面７０から、「ファンクションボタンの機能」を選択して、決定ボタン１０３Ｇを押圧する。その結果、ファンクションボタン１０３Ａ〜１０３Ｃを選択するためのファンクションボタン選択メニュー画面８０が表示される。たとえば、Ｆｎ３ボタン１０３Ｃに割り当てられた機能を表示したい場合、図６（ｃ）に示すように、「ファンクションボタン  Ｆｎ３」を選択する。そして、決定ボタン１０３Ｇを押圧すると、図６（ｄ）に示すように、ファンクションボタン１０３Ｃに割り当てられた機能を表示したメニュー画面５０が液晶モニタ１０４に表示される。
【００３２】
図６（ｄ）に示すメニュー画面５０は、図５（ｄ）のメニュー画面５０と同じものである。したがって、Ｆｎ３ボタン１０３Ｃに割り当てられている機能は、反転表示される。ユーザは、メニュー画面５０に表示されている機能の中から反転表示されている機能を見つけることにより、Ｆｎ３ボタン１０３Ｃに割り当てられている機能を認識することができる。たとえば、図６（ｄ）では、「ＦＶロック」の項目５１が反転表示されているので、Ｆｎ３ボタン１０３Ｃに、ＦＶロックの機能が割り当てられている。
【００３３】
情報画面３０からＦｎ３ボタン１０３Ｃ割り当てられた機能を変更する場合と同様に、メニュー画面５０からＦｎ３ボタン１０３Ｃ割り当てられた機能を変更することができる。
【００３４】
情報画面３０のお好み表示領域３３に表示する設定内容についても、ファンクションボタン１０３Ａ〜１０３Ｃと同様に、情報画面３０および設定メニュー画面６０から変更することができる。また、お好み表示領域３３に表示する設定内容も、メモリ１０２に記憶される。制御回路１０１は、メモリ１０２に記憶された設定内容を参照して、電子カメラ１がメモリ１０２に記憶された設定内容に設定されたか否かを判定する。電子カメラ１がメモリ１０２に記憶された設定内容に設定された場合、制御回路１０１は、お好み表示領域３３にその設定内容を表示するように電子カメラ１を制御する。
【００３５】
以上説明した実施形態によれば、次の作用効果が得られる。
（１）ファンクションボタン１０３Ａ〜１０３Ｃに割り当てられた機能を電子カメラ１の背面に設けられた液晶モニタ１０４に表示するようにした。したがって、ファンクションボタン１０３Ａ〜１０３Ｃに近接して表示器設置スペースを設けることができない場合であっても、ユーザはファンクションボタン１０３Ａ〜１０３Ｃに割り当てられている機能を把握しやすくなる。また、ファンクションボタン１０３Ａ〜１０３Ｃの近くに表示器を設ける必要がないので、ファンクションボタン１０３Ａ〜１０３Ｃ設置位置の自由度が大きくなる。
【００３６】
ファンクションボタンの近くに表示器を設けた場合、ファンクションボタンの設置位置によっては、電子カメラ１を持ち替えなくてはファンクションボタンに割り当てられた機能を確認できない場合があり、不便である。たとえば、電子カメラ１を構えているときに、電子カメラの正面に設置されたファンクションボタンに割り当てられている機能を確認するとき、電子カメラ１をひっくり返さなくてはならない。本発明の実施形態では、ファンクションボタンに割り当てられた機能を電子カメラ１の背面に設けられた液晶モニタ１０４に表示するようにしたので、電子カメラ１の正面に設置されたファンクションボタンに割り当てられた機能を確認するために電子カメラ１をひっくり返す必要がない。
【００３７】
（２）情報画面３０を介してファンクションボタン１０３Ａ〜１０３Ｃに割り当てる機能を変更できるようにした。したがって、液晶モニタ１０４に情報画面３０を表示して、ファンクションボタン１０３Ａ〜１０３Ｃに割り当てる機能を確認しているとき、ファンクションボタン１０３Ａ〜１０３Ｃに割り当てる機能を変更したくなった場合、すぐにファンクションボタン１０３Ａ〜１０３Ｃに割り当てる機能を変更することができる。
【００３８】
（３）電子カメラ１にＩｎｆｏボタン１０３Ｄを設け、Ｉｎｆｏボタン１０３Ｄが押圧されると液晶モニタ１０４に情報画面３０を表示するようにした。したがって、簡単な操作で、ファンクションボタン１０３Ａ〜１０３Ｃに割り当てる機能を、すぐに確認することができる。
【００３９】
（４）情報画面３０に表示されたファンクションボタン１０３Ａ〜１０３Ｃが選択されると、選択されたファンクションボタン１０３Ａ〜１０３Ｃに割り当てる機能を変更するメニュー画面５０を表示できるようにした。したがって、設定メニュー画面６０からファンクションボタン１０３Ａ〜１０３Ｃに割り当てる機能を変更する場合に比べて、簡単にかつ迅速にファンクションボタン１０３Ａ〜１０３Ｃに割り当てる機能を変更する。
【００４０】
（５）撮影条件に関する情報が表示される情報画面３０に、ファンクションボタン１０３Ａ〜１０３Ｃに割り当てられた機能を表示するようにした。そして、情報画面３０からファンクションボタン１０３Ａ〜１０３Ｃに割り当てる機能を変更するメニュー画面５０を表示できるようにした。したがって、設定メニュー画面６０からファンクションボタン１０３Ａ〜１０３Ｃに割り当てる機能を変更する場合に比べて、簡単にかつ迅速にファンクションボタン１０３Ａ〜１０３Ｃに割り当てる機能を変更する。
【００４１】
電子カメラ１に設定されたシャッタスピードや絞り値などの撮影条件に関する情報が表示される情報画面３０は、ユーザが撮影条件をすぐに確認できるようにするため、通常、簡単な操作で表示させることができる。本発明の実施形態では、そのような情報画面３０から、ファンクションボタン１０３Ａ〜１０３Ｃに割り当てる機能を変更するメニュー画面５０を表示できるようにしたので、すぐにファンクションボタン１０３Ａ〜１０３Ｃに割り当てる機能を変更することができる。
【００４２】
（６）設定メニュー画面６０からもファンクションボタン１０３Ａ〜１０３Ｃに割り当てる機能を変更するメニュー画面５０を表示できるようにした。したがって、ユーザの好みの方法でファンクションボタン１０３Ａ〜１０３Ｃに割り当てる機能を変更することができるので、電子カメラ１の利便性が向上する。
【００４３】
（７）情報画面３０のお好み表示領域３３に、液晶モニタ１０４に表示されたメニュー画面でのみ設定可能で、ボタン操作で直接設定できない設定条件を表示できるようにした。このような設定条件は、撮影中、あまり変更されないので、設定されていることすら忘れてしまう場合がある。したがって、このような設定内容を情報画面３０に表示することによって、撮影中、あまり変更されない設定内容について、設定されていることを思い出し、設定内容を確認することができる。
【００４４】
以上の実施の形態を次のように変形することができる。
（１）ファンクションボタン１０３Ａ〜１０３Ｃに割り当てられた機能を、ファンクションボタン１０３Ａ〜１０３Ｃ以外のボタンに割り当てられていない機能に限定するようにしてもよい。電子カメラに設けられた２つ以上のボタンに同じ機能が割り当てられるのを防止することができる。
【００４５】
（２）ファンクションボタン１０３Ａ〜１０３Ｃに割り当てられた機能を表示する表示器は、ファンクションボタン１０３Ａ〜１０３Ｃが設けられた位置の近くに限定されない位置で電子カメラ１の外部に設けられた表示器であれば、電子カメラ１の背面に設けられた液晶モニタ１０４に限定されない。たとえば、図７に示すように、電子カメラ１Ａの上面に設けられた上面表示パネル１０４Ａでもよい。
【００４６】
（３）電子カメラ１に設けられるファンクションボタン１０３Ａ〜１０３Ｃの数は、３つに限定されない。たとえば、１つまたは２つでもよいし、４つ以上でもよい。
【００４７】
（４）撮像装置であれば、電子カメラ１に限定されない。
【００４８】
以上の説明はあくまで一例であり、本発明は上記実施形態の構成に何ら限定されるものではない。
【図面の簡単な説明】
【００４９】
【図１】本発明の一実施の形態による電子カメラの外観図である。
【図２】本発明の実施形態における電子カメラの構成を説明するブロック図である。
【図３】情報画面を説明するための図である。
【図４】お好み表示領域の表示を説明するための図である。
【図５】情報画面からファンクションボタンに割り当てる機能を変更する操作を説明する図である。
【図６】設定メニュー画面からファンクションボタンに割り当てる機能を確認する操作を説明する図である。
【図７】上面表示パネルを説明するための図である。
【符号の説明】
【００５０】
１，１Ａ  電子カメラ
３０  情報画面
４０  再生画像
５０〜８０  メニュー画面
１０３Ａ〜１０３Ｃ  ファンクションボタン
１０３Ｄ  Ｉｎｆｏボタン
１０４  液晶モニタ
１０４Ａ  上面表示パネル
【図１】
0005157428.tif 000002
【図２】
0005157428.tif 000003
【図３】
0005157428.tif 000004
【図４】
0005157428.tif 000005
【図５】
0005157428.tif 000006
【図６】
0005157428.tif 000007
【図７】
0005157428.tif 000008